(57)【要約】      （修正有）【課題】挟持アームが自由に弾性回復されるレセプタクルコネクタを提供する。【解決手段】絶縁本体と、挟持アーム３０と、２対の強化ブロック４０とを備え、絶縁本体の前表面の中間には内に向けて挿入接合空間６０が開設され、後表面の左右二側には共に前に向けて係合溝１１５が開設され、２つの係合溝１１５の前端は挿入接合空間６０の左右の２面の側壁の中間から挿入接合空間６０にそれぞれ連通される。挟持アーム３０は固定板３１を有し、固定板３１の二端は共に前に向けて湾曲されて弾性アーム３３が延伸され、２つの弾性アーム３３の末端縁には共に挟持部３４が連接され、固定板３１は絶縁本体に固設され、２つの弾性アーム３３は係合溝１１５内にそれぞれ装設され、２つの挟持部３４は係合溝１１５の前端から挿入接合空間６０内にそれぞれ弾性により延入される。２対の強化ブロック４０は絶縁本体の前部の左右二側の２つの係合溝１１５の前端の上壁及び底壁の箇所にそれぞれ固設される。【選択図】図５
0003205392.tif 000002
【実用新案登録請求の範囲】
【請求項１】
回路基板に溶接されるレセプタクルコネクタであって、
前表面の中間には内に向けて挿入接合空間が開設され、後表面の左右二側には共に前に向けて係合溝が開設され、２つの係合溝の前端は挿入接合空間の左右の２面の側壁の中間から挿入接合空間にそれぞれ連通される絶縁本体と、
横方向に配列されて絶縁本体内に固設され、前端は挿入接合空間内に延入され、後端は絶縁本体の下表面に突出されると共に前記回路基板に溶接される複数の導電端子と、
固定板を有し、固定板の二端は共に前に向けて湾曲されて弾性アームが延伸され、２つの弾性アームの末端縁は共に挟持部に連接され、固定板は絶縁本体に固設され、２つの弾性アームは係合溝内にそれぞれ装設され、２つの挟持部は係合溝の前端から挿入接合空間内に弾性によりそれぞれ延入される挟持アームと、
絶縁本体の前部の左右二側の２つの係合溝の前端の上壁及び底壁の箇所にそれぞれ固設される２対の強化ブロックと、
絶縁本体の外部に覆設されるシールドケースとを備えることを特徴とするレセプタクルコネクタ。
【請求項２】
前記絶縁本体の上面及び底面の前部の左右二側には共に内に向けて係合溝に連通される固定孔が開設され、前記強化ブロックは金属材質であり、各強化ブロックは固定孔内に対してそれぞれ固装されることを特徴とする、請求項１に記載のレセプタクルコネクタ。
【請求項３】
前記絶縁本体は主絶縁本体を備え、前記主絶縁本体は本体基底を有し、前記挿入接合空間は本体基底の前表面から内に向けて開設されることで形成され、前記各固定孔は本体基底の上面及び底面の前部の左右二側からそれぞれ内に向けて開設されることで形成されることを特徴とする、請求項２に記載のレセプタクルコネクタ。
【請求項４】
前記本体基底の後表面の下方には後に向けて延伸部が突出され、前記２つの係合溝は延伸部の後表面の上部の左右二側からそれぞれ前に向けて開設され、前記２つの係合溝は本体基底の前部の挿入接合空間の左右二側にそれぞれ延伸されると共に前記挿入接合空間に連通され、前記固定板は延伸部の後表面に固設されることを特徴とする、請求項３に記載のレセプタクルコネクタ。
【請求項５】
前記複数の導電端子は複数の上端子及び複数の下端子を備え、前記絶縁本体の上面には横方向に配列される複数の上部端子溝が開設され、各上部端子溝の前端は共に挿入接合空間の上壁箇所から挿入接合空間に連通され、前記絶縁本体の底面には横方向に配列される複数の下部端子溝が開設され、各下部端子溝の前端は共に挿入接合空間の底壁箇所から挿入接合空間に連通され、前記各上端子は上部端子溝内にそれぞれ固設され、各上端子の前端は上部端子溝の前端から挿入接合空間内にそれぞれ延入され、各上端子の後端は共に絶縁本体の下表面に突出されて前記回路基板に溶接され、前記各下端子は下部端子溝内にそれぞれ固設され、各下端子の前端は下部端子溝の前端から挿入接合空間内にそれぞれ延入され、各下端子の後端は共に絶縁本体の下表面に突出されて前記回路基板に溶接されることを特徴とする、請求項１に記載のレセプタクルコネクタ。
【請求項６】
前記シールドケースは上部ケース及び下部ケースを備え、前記上部ケースの前端には少なくとも１つの上端当接部が連接され、前記下部ケースの前端には少なくとも１つの下端当接部が連接され、前記絶縁本体の上面及び底面の前部には共に内に向けて挿入接合空間に連通される少なくとも１つの孔部が開設され、前記下部ケースは絶縁本体の下部に固設され、前記上部ケースは絶縁本体の上部に固設されると共に下部ケースに固定されて一体になり、前記上端当接部及び下端当接部は絶縁本体の上面及び底面の孔部内から挿入接合空間内にそれぞれ弾性により延入されることを特徴とする、請求項１に記載のレセプタクルコネクタ。
【請求項７】
前記各強化ブロックは共にＴ字型の板状を呈することを特徴とする、請求項１に記載のレセプタクルコネクタ。
【考案の詳細な説明】
【技術分野】
【０００１】
本考案は、挟持アームが自由に弾性回復されるレセプタクルコネクタに関する。
【背景技術】
【０００２】
従来のレセプタクルコネクタは、絶縁本体と、複数の導電端子と、挟持アームと、シールドケースとを備える。絶縁本体の前表面には内に向けてプラグコネクタが挿入接合される挿入接合空間が開設され、絶縁本体の後表面の左右二側には共に内に向けて係合溝が開設され、２つの係合溝の前端は挿入接合空間の左右の２面の側壁の中間から挿入接合空間にそれぞれ連通される。複数の導電端子は横方向に配列されて絶縁本体内に固設され、各導電端子の前端は挿入接合空間内に延入され、各導電端子の後端は絶縁本体の下表面に突出されると共に回路基板に溶接される。前記挟持アームは固定板及び固定板の二端からそれぞれ前に向けて湾曲されて延伸される２つの弾性アームを含み、２つの弾性アームの末端縁には共に挟持部が連接される。固定板は絶縁本体に固設され、２つの弾性アームは係合溝内にそれぞれ装設され、２つの挟持部は係合溝の前端から挿入接合空間内にそれぞれ弾性により延入される。シールドケースは絶縁本体の外部に覆設される。
【考案の概要】
【考案が解決しようとする課題】
【０００３】
しかしながら、前述した従来のコネクタ技術では、すなわち、プラグコネクタを挿脱する場合、挿入接合空間の左右の２面の側壁は係合溝の前端箇所のプラスチックが圧迫され易く、係合溝の前端の上壁及び底壁により挟持部が挟まれ、挟持部が自由に弾性回復できなくなり、挟持機能及び手応えに影響が及んだ。そこで、本考案者は上記の欠点が改善可能と考え、鋭意検討を重ねた結果、合理的設計で上記の課題を効果的に改善する本考案の提案に到った。
【０００４】
本考案は、このような従来の問題に鑑みてなされたものである。上記課題解決のため、本考案は、挟持部が自由に弾性回復されるレセプタクルコネクタを提供することを主目的とする。
【課題を解決するための手段】
【０００５】
上述した課題を解決し、上記目的を達成するための本考案では、本考案に係るレセプタクルコネクタは、回路基板に溶接されるレセプタクルコネクタであって、
前表面の中間には内に向けて挿入接合空間が開設され、後表面の左右二側には共に前に向けて係合溝が開設され、２つの係合溝の前端は挿入接合空間の左右の２面の側壁の中間から挿入接合空間にそれぞれ連通される絶縁本体と、
横方向に配列されて絶縁本体内に固設され、前端は挿入接合空間内に延入され、後端は絶縁本体の下表面に突出されると共に前記回路基板に溶接される複数の導電端子と、固定板を有し、固定板の二端は共に前に向けて湾曲されて弾性アームが延伸され、２つの弾性アームの末端縁は共に挟持部に連接され、固定板は絶縁本体に固設され、２つの弾性アームは係合溝内にそれぞれ装設され、２つの挟持部は係合溝の前端から挿入接合空間内に弾性によりそれぞれ延入される挟持アームと、絶縁本体の前部の左右二側の２つの係合溝の前端の上壁及び底壁の箇所にそれぞれ固設される２対の強化ブロックと、絶縁本体の外部に覆設されるシールドケースとを備えることを特徴とする。
【考案の効果】
【０００６】
本考案に係るレセプタクルコネクタは２対の強化ブロックが設置され、且つ２対の強化ブロックは絶縁本体の前部の左右二側の２つの係合溝の前端の上壁及び底壁の箇所にそれぞれ固設される。プラグコネクタが挿脱される場合、挿入接合空間の左右の２面の側壁は係合溝の前端箇所では、プラグコネクタにより圧迫されるプラスチックが強化板及びプラグコネクタの間のプラスチックのみに限定され、圧迫されるプラスチック量が最大限減少し、係合溝の前端の上壁及び底壁が挟持部を挟まなくなり、挟持部が自由に弾性回復される。
【図面の簡単な説明】
【０００７】
【図１】本考案の好ましい実施形態に係るレセプタクルコネクタを示す外観斜視図である。
【図２】図１に示すレセプタクルコネクタを他の角度から見た外観斜視図である。
【図３】図１に示すレセプタクルコネクタにシールドケースがないものを示す外観斜視図である。
【図４】図２に示すレセプタクルコネクタにシールドケースがないものを示す外観斜視図である。
【図５】図１に示すレセプタクルコネクタを示す展開図である。
【図６】図２に示すレセプタクルコネクタを示す展開図である。
【図７】本考案のレセプタクルコネクタの上部端子が上部固定ブロックの固設されるものを示す外観斜視図である。
【図８】本考案のレセプタクルコネクタの下部端子が下部固定ブロックの固設されるものを示す外観斜視図である。
【図９】図５に示す本考案のレセプタクルコネクタの主絶縁本体のIX−IX線を示す断面図である。
【考案を実施するための形態】
【０００８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【０００９】
本考案に係るレセプタクルコネクタ１００は回路基板（図示せず）に溶接され、プラグコネクタ（図示せず）を挿入接合させるために用いられ、絶縁本体１０と、複数の導電端子２０と、挟持アーム３０と、２対の強化ブロック４０と、シールドケース５０とを備える（図１、図２及び図５参照）。
【００１０】
前記絶縁本体１０は、主絶縁本体１１と、上部固定ブロック１２と、下部固定ブロック１３とを備える。前記主絶縁本体１１は矩形状を呈する本体基底１１１を有し、本体基底１１１の後表面の下方は後に向けて延伸部１１２が突出される（図４及び図５参照）。
【００１１】
図４乃至図６及び図９に示すように、前記絶縁本体１０の前表面の中間には内に向けて挿入接合空間６０が開設され、絶縁本体１０の後表面の左右二側には共に前に向けて係合溝１１５が開設され、２つの係合溝１１５の前端は挿入接合空間６０の左右の２面の側壁の中間から挿入接合空間６０にそれぞれ連通される。絶縁本体１０の上面及び底面の前部の左右二側には共に内に向けて係合溝１１５に連通される固定孔１１３が開設され、絶縁本体１０の上面及び底面は２つの固定孔１１３の間の前部に共に内に向けて挿入接合空間６０に連通される少なくとも１つの孔部１１４が開設される。具体的には、前記挿入接合空間６０は本体基底１１１の前表面から内に向けて開設されることで形成され、前記各固定孔１１３は本体基底１１１の上面及び底面の前部の左右二側から内に向けてそれぞれ開設されることで形成され、本体基底１１１の上面及び底面は２つの固定孔１１３の間の前部には共に下に向けて横方向に配列されて挿入接合空間６０に連通される２つの前記孔部１１４が開設され、前記２つの係合溝１１５は延伸部１１２の後表面の上部の左右二側から前に向けて開設されると共に本体基底１１１の前部の挿入接合空間６０の左右二側に延伸され、且つ前記挿入接合空間６０に連通される。
【００１２】
前記延伸部１１２の上面の後部にはスロット１１２１が開設され、スロット１１２１の後端の中央部には上下に貫通される切欠き部１１２２が開設される。前記延伸部１１２の底面の前部には装着溝１１２３が開設され、前記スロット１１２１の底面の前部は装着溝１１２３の上方に下に向けて横方向に配列される複数の取付穴１１２４が開設され、前記スロット１１２１の底面の中央部の左右二側には共に上に向けてストッパー１１２５が突出される。
【００１３】
なお、前記絶縁本体１０の上面には横方向に配列される複数の上部端子溝１１６が開設され、各上部端子溝１１６の前端は共に挿入接合空間６０の上壁の箇所から挿入接合空間６０に連通される。前記絶縁本体１０の底面には横方向に配列される複数の下部端子溝１１７が開設され、各下部端子溝１１７の前端は共に挿入接合空間６０の底壁の箇所から挿入接合空間６０に連通される。具体的には、前記各上部端子溝１１６は共に横方向に配列されて本体基底１１１の上面の後部及び延伸部１１２の上面に開設され、前記各下部端子溝１１７は共に横方向に配列されて本体基底１１１の底面の後部及び延伸部１１２の底面の前部に開設される。
【００１４】
前記上部固定ブロック１２は上部基板１２１を有し、上部基板１２１の上表面の前端には上に向けて縦板１２２が突出され、縦板１２２の後表面の中央部には後に向けて固定用凸部１２３が凸設され、縦板１２２の前表面の上端には前に向けて横板１２４が突出され、横板１２４の左右の二側面には共に位置限定溝１２５が開設される。前記下部固定ブロック１３の上表面には横方向に配列される複数の装着バンプ１３１が凸設される。
【００１５】
前記複数の導電端子２０は複数の上端子２１及び複数の下端子２２を備える。前記各上端子２１は共に上端固定部２１１を有し、上端固定部２１１は上下に延伸される第一固定板２１１１及び第一固定板２１１１の上端縁から前に向けて湾曲されて延伸される第二固定板２１１２を有し、第二固定板２１１２の前端縁には上に向けて湾曲された後に前方上方に向けて延伸されてから下に向けて湾曲されると共に前方下方に向けて延伸される上端接触部２１２が連接され、第一固定板２１１１の下端縁には後に向けて湾曲されて延伸される上端溶接部２１３が連接される。
【００１６】
前記各下端子２２は共に上下に延伸される下端固持部２２１を有し、下端固持部２２１の前表面の上端縁には前に向けて下端接触部２２２が延伸され、下端固持部２２１の後表面の下端縁には後に向けて下端溶接部２２３が延伸される。
【００１７】
また、前記挟持アーム３０はＵ字形状を呈し、横方向に延伸される固定板３１を有し、固定板３１の中間部には固定孔３２が開設され、固定板３１の二端には共に前に向けて湾曲される弾性アーム３３が延伸され、２つの弾性アーム３３の末端縁には共に内に向けてアーチ状になる挟持部３４が連接される。前記強化ブロック４０は金属材質であり、且つＴ字形の板状を呈する。
【００１８】
図１及び図５に示すように、前記シールドケース５０は上部ケース５１及び下部ケース５２を備える。前記上部ケース５１の前端には少なくとも１つの上端当接部５１１が連接され、前記下部ケース５２の前端には少なくとも１つの下端当接部５２１が連接される。具体的には、前記上部ケース５１の前端縁には横方向に配列される２つの上端当接部５１１が連接され、前記下部ケース５２の前端縁には横方向に配列される２つの下端当接部５２１が連接される。
【００１９】
さらに、本考案に係るプラグコネクタ１００の装設では、前記各下端子２２は横方向に配列されて下部端子溝１１７内にそれぞれ固設され、各下端子２２の前端は下部端子溝１１７の前端から挿入接合空間６０内にそれぞれ延入され、各下端子２２の後端は共に絶縁本体１０の下表面に突出されると共に前記回路基板に溶接される。具体的には、先ず前記下端固持部２２１、下端接触部２２２の後部及び下端溶接部２２３の上端が下部固定ブロック１３内にインモールド成形され、下端溶接部２２３の下端が下部固定ブロック１３の下表面に露出される。その後、前記下部固定ブロック１３が装着溝１１２３内に固設され、各装着バンプ１３１が取付穴１１２４内にそれぞれ固装され、各装着バンプ１３１の下表面が延伸部１１２の下表面に突出され、前記各下端接触部２２２の前部が下部端子溝１１７内に装設され、各下端接触部２２２の前端が各下部端子溝１１７の前端から挿入接合空間６０内に延入され、各下端溶接部２２３の下表面が延伸部１１２の下表面に突出されると共に前記回路基板に溶接される（図１乃至図８参照）。
【００２０】
前記各上端子２１は横方向に配列されて上部端子溝１１６内にそれぞれ固設され、各上端子２１の前端は上部端子溝１１６の前端から挿入接合空間６０内にそれぞれ延入され、各上端子２１の後端は共に絶縁本体１０の下表面に突出されると共に前記回路基板に溶接される。具体的には、先ず各上端子２１が上部固定ブロック１２にインモールド成形され、さらに、第一固定板２１１１が横方向に配列されて縦板１２２内にインモールド成形され、各上端子２１の第二固定板２１１２の後端が横方向に配列されて横板１２４内にインモールド成形され、各上端溶接部２１３が横方向に配列されて基板１２１にインモールド成形されると共に基板１２１の下表面に露出される。その後、上部固定ブロック１２の横板１２４がスロット１１２１内に装設され、２つのストッパー１１２５が位置限定溝１２５内にそれぞれ固設され、縦板１２２が切欠き部１２２２内に固設され、基板１２１の下表面が延伸部１１２の下表面に突出されると共に下部固定ブロック１３と平坦になり、各上端溶接部２１３が共に前記回路基板に溶接され、各第二固定板２１１２の前端及び各上端接触部２１２が上部端子溝１１６内にそれぞれ固設され、各上端接触部２１２の前端が上部端子溝１１６の前端から挿入接合空間６０内にそれぞれ延入される。
【００２１】
前記挟持アーム３０は絶縁本体１０の後端に固設される。具体的には、固定板３１は縦板１２２の後表面に設置され、固定用凸部１２３は固定孔３２内に固設され、２つの弾性アーム３３の後端は２つの係合溝１１５の後端にそれぞれ装設され、２つの挟持部３４は２つの係合溝１１５の前端にそれぞれ装設され、２つの挟持部３４は係合溝１１５の前端から挿入接合空間６０内にそれぞれ弾性により延入される。
【００２２】
前記２対の強化ブロック４０は絶縁本体１０の前部の左右二側の２つの係合溝１１５の前端の上壁及び底壁の箇所にそれぞれ固設される。具体的には、各強化ブロック４０が固定孔３２内に対してそれぞれ固装される。
【００２３】
前記シールドケース５０は絶縁本体１０の外部に覆設される。具体的には、下部ケース５２は絶縁本体１０の下部に固設され、前記上部ケース５１は絶縁本体１０の上部に固設されると共に下部ケース５２に固定されて一体になり、前記２つの上端当接部５１１及び２つの下端当接部５２１は孔部１１４内から挿入接合空間６０内にそれぞれ弾性により延入される。
【００２４】
本考案に係るレセプタクルコネクタ１００がプラグコネクタに挿脱される場合、挿入接合空間６０の左右の２面の側壁は係合溝１１５の前端箇所では、圧迫されるプラスチックが強化板４０及びプラグコネクタの間のプラスチックのみに限定され、圧迫されるプラスチック量が最大限減少され、係合溝１１５の前端の上壁及び底壁が挟持部３４を挟まなくなり、挟持部３４が自由に弾性回復される。これにより、挟持アーム３０の挟持機能及びプラグコネクタの挿脱時の手応えに影響が出ない。
【００２５】
上述したように、本考案に係るレセプタクルコネクタ１００は２対の強化ブロック４０が設置され、２対の強化ブロック４０が絶縁本体１０の前部の左右二側の２つの係合溝１１５の前端の上壁及び底壁の箇所にそれぞれ固設されることで、プラグコネクタが挿脱される場合、挿入接合空間６０の左右の２面の側壁は係合溝１１５の前端箇所でプラグコネクタにより圧迫されるプラスチックが強化板４０及びプラグコネクタの間のプラスチックのみに限定され、圧迫されるプラスチック量が最大限減少され、係合溝１１５の前端の上壁及び底壁が挟持部３４を挟まなくなり、挟持部３４が自由に弾性回復される。
【００２６】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、後述の請求項に含まれるものとする。
【符号の説明】
【００２７】
１００ レセプタクルコネクタ
１０ 絶縁本体
１１ 主絶縁本体
１１１ 本体基底
１１２  延伸部
１１２１ スロット
１１２２ 切欠き部
１１２３ 装着溝
１１２４ 取付穴
１１２５ ストッパー
１１３ 固定孔
１１４ 孔部
１１５ 係合溝
１１６ 上部端子溝
１１７ 下部端子溝
１２ 上部固定ブロック
１２１ 上部基板
１２２ 縦板
１２３ 固定用凸部
１２４ 横板
１２５ 位置限定溝
１３ 下部固定ブロック
１３１ 装着バンプ
２０ 導電端子
２１ 上端子
２１１ 上端固定部
２１１１ 第一固定板
２１１２ 第二固定板
２１２ 上端接触部
２１３ 上端溶接部
２２ 下端子
２２１ 下端固持部
２２２ 下端接触部
２２３ 下端溶接部
３０ 挟持アーム
３１ 固定板
３２ 固定孔        
３３ 弾性アーム
３４ 挟持部
４０ 強化ブロック
５０ シールドケース
５１ 上部ケース
５１１ 上端当接部
５２ 下部ケース
５２１ 下端当接部
６０ 挿入接合空間
【図１】
0003205392.tif 000003
【図２】
0003205392.tif 000004
【図３】
0003205392.tif 000005
【図４】
0003205392.tif 000006
【図５】
0003205392.tif 000007
【図６】
0003205392.tif 000008
【図７】
0003205392.tif 000009
【図８】
0003205392.tif 000010
【図９】
0003205392.tif 000011